(57)【要約】【課題】簡単な構成で、搬送ローラと印字媒体との間の接触圧を低減して印字媒体を良好に整合できるようにする。【解決手段】通帳Ｔ、或いはステイトメント用紙Ｓｂを挿入させるフェイシア部２と、通帳Ｔ、或いはステイトメント用紙Ｓｂを搬送路６ｂに沿って搬送する搬送ローラ１１と、この搬送ローラ１１によって搬送されてくる通帳Ｔ、或いはステイトメント用紙Ｓｂに印字するドットヘッド９ａと、このドットヘッド９ａとフェイシア部２との間に設けられ、搬送ローラ１１によって搬送されてくる通帳Ｔをその搬送方向に対して直交する方向に移動させる整合ローラ３３と、この整合ローラ３３によって移動される通帳Ｔを当接させてドットヘッド９ａに対し整合する整合板３４と、整合ローラ３３によって通帳Ｔを移動させる際に、通帳Ｔを搬送ローラ１１から離間する方向に押し下げる押下機構３７とを具備する。【選択図】      図３
2010215347.tif 000002
【特許請求の範囲】
【請求項１】
各種幅寸法の印字媒体を挿入させる挿入口と、
前記印字媒体を搬送路に沿って搬送する搬送手段と、
この搬送手段によって搬送されてくる前記印字媒体に印字する印字ヘッドと、
この印字ヘッドと前記挿入口との間に設けられ、前記搬送手段によって搬送されてくる前記印字媒体をその幅寸法に基づいて搬送方向に対して直交する方向に移動させる整合ローラと、
この整合ローラによって移動される前記印字媒体を当接させて前記印字ヘッドに対し整合する整合板と、
前記整合ローラによって前記印字媒体を移動させる際に、前記印字媒体を前記搬送手段から離間する方向に押し下げる押下手段と
を具備することを特徴とする印刷装置。
【請求項２】
前記押下手段は、前記印字媒体を押し下げる昇降自在な押下ガイドと、この押下ガイドを前記印字媒体の搬送路から退避する方向に付勢する付勢部材と、前記押下ガイドを前記付勢部材の付勢力に抗して押し下げるカムとを有することを特徴とする請求項１記載の印刷装置。
【請求項３】
前記整合ローラは、前記印字媒体の搬送路に対し進退自在に設けられ、前記印字媒体の下面側に接触して前記印字媒体を移動させることを特徴とする請求項１または２記載の印刷装置。
【請求項４】
前記押下ガイドはその下端部側で前記搬送手段近傍の前記印字媒体の上面部位を押し下げることを特徴とする請求項１乃至３の何れか一項に記載の印刷装置。
【請求項５】
前記カムは回転することにより前記押下ガイドを押し下げたのち、前記整合板を上昇させて搬送路から退避させることを特徴とする請求項１乃至４の何れか一項に記載の印刷装置。
【発明の詳細な説明】
【技術分野】
【０００１】
本発明は、例えば、通帳やステイトメント用紙を印字する印刷装置に関する。
【背景技術】
【０００２】
印刷装置には、その前面部側にステイトメント用紙を出入させる用紙出入口と、通帳を出入させる通帳出入口とを上下に配置し、用紙出入口から挿入されるステイトメント用紙をステイトメント用の搬送ローラ（搬送手段）によって印字部に搬送し、或いは、通帳出入口から挿入される通帳を通帳用の搬送ローラによって印字部に搬送してドットヘッド（印字ヘッド）によりそれぞれ印字するものがある。
【０００３】
印字されたステイトメント用紙、及び通帳は逆送されて用紙出入口及び通帳出入口からそれぞれ送り出されるようになっている（例えば、特許文献１参照。）。
【特許文献１】特開２００３−１７６０６５号公報
【発明の開示】
【発明が解決しようとする課題】
【０００４】
ところで、通常、通帳の幅寸法はステイトメント用紙の幅寸法よりも狭いため、ドットヘッドの手前側でドットヘッドの印字領域に合致するように整合機構により幅寄せされて整合されるようになっている。
【０００５】
整合機構は、通帳をその搬送方向に対して直交する方向に移動させる整合ローラと、この整合ローラによって移動される通帳を当接させて整合する整合板を備えている。
【０００６】
しかしながら、従来においては、整合ローラによって通帳を移動させる際に、通帳と搬送ローラとの接触圧が高く、通帳をスムーズに移動できず、良好に整合できなくなるという問題があった。
【０００７】
なお、整合ローラによって通帳を移動させる際に、搬送ローラを通帳から離間する方向に移動させれば、通帳をスムーズに移動することは可能となるが、この場合には、機構的に複雑化し、コスト高になってしまうという問題がある。
【０００８】
本発明は上記事情に着目してなされたもので、その目的とするところは、簡単な構成で、搬送手段と印字媒体との間の接触圧を低減して印字媒体を良好に整合できるようにした印刷装置を提供することにある。
【課題を解決するための手段】
【０００９】
上記課題を解決するため、請求項１記載の発明は、各種幅寸法の印字媒体を挿入させる挿入口と、前記印字媒体を搬送路に沿って搬送する搬送手段と、この搬送手段によって搬送されてくる前記印字媒体に印字する印字ヘッドと、この印字ヘッドと前記挿入口との間に設けられ、前記搬送手段によって搬送されてくる前記印字媒体をその幅寸法に基づいて搬送方向に対して直交する方向に移動させる整合ローラと、この整合ローラによって移動される前記印字媒体を当接させて前記印字ヘッドに対し整合する整合板と、前記整合ローラによって前記印字媒体を移動させる際に、前記印字媒体を前記搬送手段から離間する方向に押し下げる押下手段とを具備することを特徴とする。
【発明の効果】
【００１０】
本発明によれば、簡単な構成で、搬送手段と印字媒体との間の接触圧を低減して印字媒体を良好に整合できる。
【発明を実施するための最良の形態】
【００１１】
以下、本発明の実施の形態を図面を参照して詳細に説明する。  
図１は、本発明の一実施の形態である印刷装置を示す構成図である。
【００１２】
図中１は装置本体で、この装置本体１の前面部側には通帳Ｔの出入口とステイトメント用紙Ｓｂの出入口を兼用するフェイシア部２が設けられている。
【００１３】
装置本体１内の後部側には用紙装填部３が設けられ、この用紙装填部３にはロール状のサーマル用紙４が装填されている。サーマル用紙４の先端部は用紙装填部３から引き出されてサーマル用搬送手段５によって搬送路６ａに沿って搬送される。搬送路６ａ中にはサーマル用紙４の搬送方向に沿って順次、サーマル印字部７、切断部８が配設されている。
【００１４】
また、装置本体１内には、通帳Ｔ、或いはステイトメント用紙Ｓｂを搬送路６ｂに沿って搬送する搬送手段１０が設けられている。搬送路６ｂは上記したサーマル用紙４の搬送路６ａに接続され、搬送手段１０は搬送路６ａから送り出されてくるサーマル用紙４を搬送路６ｂに沿って搬送する搬送手段としても兼用されるようになっている。
【００１５】
搬送手段１０は搬送路６ｂに所定間隔を存して配設される複数個の搬送ローラ１１、出入用ローラ対１２、フィードローラ対１５によって構成されている。搬送路６ｂには印字ヘッドとしてのドットヘッド９ａを有するドット印字部９が配置され、搬送路６ｂは挿入口としてのフェイシア部２に接続されている。
【００１６】
また、上記した搬送手段１０のサーマル用紙導入側にはサーマル用紙４の先端部を検出する検知センサ２８が設けられ、出入用ローラ対１２の近傍には通帳Ｔ、或いはステイトメント用紙Ｓｂの挿入を検知する挿入検知センサ２９、さらに、挿入された通帳Ｔ、或いはステイトメント用紙Ｓｂの幅寸法を検出する幅検出センサ３０が設けられている。
【００１７】
サーマル印字部７は、サーマル用紙４の搬送方向に沿って所定間隔を存して配置される第１及び第２のサーマルヘッド１７，１８を備え、これら第１及び第２のサーマルヘッド１７，１８にはサーマル用搬送手段５を構成する第１及び第２のプラテンローラ２０，２１が転接されている。サーマル用紙４は、第１及び第２のサーマルヘッド１７，１８と第１及び第２のプラテンローラ２０，２１とにより挟持搬送されて第１及び第２のサーマルヘッド１７，１８によりその表裏に情報が印字されるようになっている。
【００１８】
切断部８は、ロータリーカッタ２３を備え、サーマル用紙４が切断部８から所定距離送り出されるのに基づいてロータリーカッタ２３を回転させて切断し、ステイトメント用紙を形成するようになっている。
【００１９】
上記したサーマル用搬送手段５を構成する第１及び第２のプラテンローラ２０，２１、ロータリーカッタ２３、及びサーマル側フィードローラ対１４は、第１の駆動モータ２５によって回転駆動され、また、搬送手段１０を構成する搬送ローラ１１、出入用ローラ対１２、及びフィードローラ対１５は、第２の駆動モータ２６によって回転駆動されるようになっている。
【００２０】
図２は上記した印刷装置の駆動制御系を示すブロック図である。
【００２１】
上記したサーマル用紙検知センサ２８、挿入検知センサ２９、幅検出センサ３０、さらに、ステイトメント発行ボタン２７は送信回路を介して制御手段としての制御部２４に接続され、制御部２４には制御回路を介して上記した第１及び第２の駆動モータ２５，２６が接続されている。
【００２２】
制御部２４は、挿入検知センサ２９が通帳Ｔ、或いはステイトメント用紙Ｓｂの挿入を検知するのに基づいて第２の駆動モータ２６を動作させて搬送ローラ１１、出入用ローラ対１２、フィードローラ対１５を取込み方向（第１の方向）に回転駆動させ、ドット印字終了後、逆方向（第２の方向）に回転駆動させるようになっている。
【００２３】
また、制御部２４は、ステイトメント発行ボタン２７がオンされるのに基づいて第１の駆動モータ２５を動作させ、第１及び第２のプラテンローラ２０，２１さらにサーマル側フィードローラ対１４をサーマル用紙４を送り出す方向に回転駆動させるようになっている。
【００２４】
さらに、制御部２４は、サーマル用紙検知センサ２８がサーマル用紙４の先端部を検知するのに基づいてロータリーカッタ２３を回転駆動させるとともに、第２の駆動モータ２６を動作させて搬送ローラ１１、出入用ローラ対１２、フィードローラ対１５を第２の方向に回転駆動させるようになっている。
【００２５】
ところで、上記したドットヘッド９ａの手前側は、ドットヘッド９ａの印字領域に対して通帳Ｔを整合するための整合領域３１になっており、この整合領域３１には整合機構３２が設けられている。
【００２６】
整合機構３２は、図３に示すように搬送路６ｂの下部側に整合ローラ３３を備え、この整合ローラ３３は図示しない昇降機構により昇降され、通帳Ｔの下面側に接離されるようになっている。また、整合ローラ３３は通帳Ｔの下面側に接触された状態で回転することにより、通帳Ｔをその搬送方向と直交する方向に移動させるようになっている。
【００２７】
この通帳Ｔの移動方向には整合板３４及び本体フレーム４１が配設されている。通帳Ｔは整合板３４に当接されることにより整合され、ステイトメント用紙Ｓｂは本体フレーム４１に沿って搬送されるようになっている。
【００２８】
また、整合ローラ３３の上方部には、通帳Ｔを押し下げるための押下手段としての押下機構３７が設けられている。
【００２９】
押下機構３７は押下ガイド３８を有し、この押下ガイド３８は天板部３９と、この天板部３９の下面側に通帳Ｔの移動方向に沿って所定間隔を存して配設される複数の脚部４０を備え、上下動自在に設けられている。この押下ガイド３８の天板部３９には付勢部材としてのスプリング４２が接続され、押下ガイド３８はこのスプリング４２により上方に付勢されている。
【００３０】
また、押下ガイド３８の天板部３９の一側部と上記した整合板３４の上端折曲部３４ａとの間には、突起部４３ａを有するカム４３が設けられ、このカム４３は、整合ローラ３３の回転に先立って回転されるようになっている。このカム４３の回動によりその突起部４３ａが図３に示す状態から下方に４５度回動すると、押下ガイド３８がスプリング４２の付勢力に抗して押し下げられ、その脚部４０の下端部を搬送ローラ１１の近傍の通帳Ｔの上面部位に圧接させて下方に押し付けるようになっている。
【００３１】
この押し付けにより、通帳Ｔは搬送ローラ１１から離れる方向に押し下げられ、搬送ローラ１１と通帳Ｔとの接触圧が低減されるようになっている。
【００３２】
さらに、カム４３の回動によりその突起部４３ａが上方に１８０度回動されると、整合板３４が上昇されてその下部側を搬送路６ｂから退避させるようになっている。
【００３３】
上記したカム４３及び整合ローラ３３は、図２に示すカム用モータ４４及び整合用モータ４５によってそれぞれ回転駆動される。カム用モータ４４及び整合用モータ４５は制御回路を介して制御部２４に接続されている。
【００３４】
制御部２４は、挿入検知センサ２９が通帳Ｔの挿入を検知してから所定時間経過後、即ち、通帳Ｔが整合領域３１に到達した時点で、カム用モータ４４を駆動させたのち、整合用モータ４５を駆動させる。これにより、通帳Ｔは押下ガイド３８により押し下げられてから整合ローラ３３が回転されて通帳Ｔの下面側に接触されるようになっている。
【００３５】
なお、整合板３４は図示しないスプリングによって常時上方に付勢され、カム４３の回転ロスを低減させるとともに、回動時における騒音を低減できるようになっている。
【００３６】
また、通帳Ｔの長さは図示しないセンサによって検出され、通帳Ｔの略中央部に整合ローラ３３が位置するように通帳Ｔの位置が調整されるようになっている。
【００３７】
次に、上記したように構成される印刷装置の印字動作について説明する。
【００３８】
まず、サーマル用紙４を用いてステイトメント用紙Ｓａに印字する場合について説明する。
【００３９】
サーマル用紙４の先端部側は、図４に示すように第１及び第２のプラテンローラ２０，２１と第１及び第２のサーマルヘッド１７，１８との間に挟持された状態にあり、ステイトメント発行ボタン２７がオンされると、第１の駆動モータ２５が駆動してプラテンローラ２０，２１が回転される。この回転により、サーマル用紙４が搬送されるとともに、第１及び第２のサーマルヘッド１７，１８の発熱によりサーマル用紙４の表裏面に情報が印字される。この印字後、サーマル用紙４は切断部８を通過してサーマル側フィードローラ対１４によって挟持搬送され、その先端部が図５に示すようにサーマル用紙検知センサ２８により検知されると、ロータリーカッタ２３が回転してサーマル用紙４が所定寸法に切断されてステイトメント用紙Ｓａが形成される。このステイトメント用紙Ｓａは、図６に示すようにフィードローラ対１５、搬送ローラ１１、及び出入用ローラ対１２の逆回転によって搬送路６ｂに沿って搬送されてフェイシア部２から排出される。
【００４０】
つぎに、フェイシア部２から挿入される通帳Ｔ、或いはステイトメント用紙Ｓｂに印字する場合について説明する。
【００４１】
フェイシア部２から通帳Ｔ、或いはステイトメント用紙Ｓｂが挿入されると、図７に示すように挿入検知センサ２９によって検知される。この検知があると、第２の駆動モータ２６が動作して出入用ローラ対１２、搬送ローラ１１、及びフィードローラ対１５が第１の方向に回転駆動される。この回転により通帳Ｔ或いはステイトメント用紙Ｓｂが搬送路６ｂに沿って搬送されて（この搬送時には図８に示すように搬送ローラ１１と通帳Ｔ或いはステイトメント用紙Ｓｂとの間に強い摩擦力Ｍが発生し、この摩擦力Ｍにより搬送力を得ている）、その幅寸法が幅検出センサ３０によって検出される。この検出に基づいて印字媒体が通帳Ｔであるのか、或いはステイトメント用紙Ｓｂであるのかが制御部２４により判別される。通帳Ｔであると判断された場合には、整合板３４が上方の退避位置から図８に示すように下降されてその下部側を搬送路６ｂ中に進入させる。この状態から図９に示すように通帳Ｔが整合領域３１に到達すると、カム４３が図８に示す状態から図１０に示すように反時計方向に回動されてその突起部４３ａを９０度下方に回動させる。この回動により、押下ガイド３８がスプリング４２の付勢力に抗して下方に押し下げられ、その脚部４０の下端部により搬送ローラ１１近傍の通帳Ｔの上面部位を押し下げる。これにより、通帳Ｔと搬送ローラ１１との間の接触圧が低減されることになる。
【００４２】
このように接触圧が低減されたのち、図１１に示すように整合ローラ３３が回転されながら待機位置から上昇されて通帳Ｔの下面側に接触する。これにより通帳Ｔが矢印で示す方向に移動されてその移動方向先端部が整合板３４に当接して整合される。
【００４３】
このように整合されたのち、カム４３が図１１に示す状態から図１２に示すように再度、反時計方向に回動されて突起部４３ａが１８０度上方に回動する。これにより、押下ガイド３８がスプリング４２の付勢力により上方に退避されるとともに、整合板３４が上方に持ち上げられて搬送路６ｂから退避され、さらに、整合ローラ３３が下降されて退避される。
【００４４】
このように、押下ガイド３８及び整合板３４、さらに整合ローラ３３が退避されると、搬送ローラ１１が回転されて再び強い摩擦力で通帳Ｔを印字位置へと搬送する。印字位置に搬送された通帳Ｔは、図１３に示すようにドットヘッド９ａにより印字される。そして、印字が終了すると、第２の駆動モータ２６により出入用ローラ対１２、フィードローラ対１５、及び搬送ローラ１１が第２の方向に逆回転される。この逆回転により、通帳Ｔが逆送りされてフェイシア部２から送り出される。
【００４５】
一方、上記したフェイシア部２から挿入された印字媒体が幅広のステイトメント用紙Ｓｂであると判別された場合には、図１４に示すように押下ガイド３８及び整合板３４、さらに整合ローラ３３は搬送路６ｂから退避されたままの状態となる。従って、ステイトメント用紙Ｓｂはその搬送を妨げられることなく印字領域に搬送され、この印字領域でドットヘッド９ａによって印字される。そして、この印字後、ステイトメント用紙Ｓｂは逆送されてフェイシア部２から排出される。
【００４６】
上記したように、この実施の形態によれば、ドットヘッド９ａの手前側の整合領域３１において、通帳Ｔを整合する際には、通帳Ｔを押下ガイド３８により押し下げて搬送ローラ１１から離間する方向に移動させるため、通帳Ｔと搬送ローラ１１との間の摩擦抵抗を低減できる。従って、整合ローラ３３の回転により、通帳Ｔをスムーズに移動させて良好に整合できる。
【００４７】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４８】
【図１】本発明の一実施の形態である印刷装置を概略的に示す構成図。
【図２】図１の印刷装置の駆動制御系を示すブロック図。
【図３】図１の印刷装置の整合機構を示す構成図。
【図４】図１の印刷装置によるサーマル用紙の印字動作を示す図。
【図５】図１の印刷装置によるサーマル用紙の印字動作を示す図。
【図６】図１の印刷装置によるサーマル用紙の印字動作を示す図。
【図７】図１の印刷装置による通帳、或いはステイトメント用紙の印字動作を示す図。
【図８】図３の整合機構の整合板が搬送路に進入された状態を示す図。
【図９】通帳が整合位置に搬送された状態を示す図。
【図１０】整合位置に搬送された通帳が押下機構により押し下げれた状態を示す図。
【図１１】押し下げれた通帳が整合される状態を示す図。
【図１２】通帳が整合されたのち押下ガイドが搬送路から上方へ退避された状態を示す図。
【図１３】整合された通帳が印字位置に搬送されて印字される状態を示す図。
【図１４】ステイトメント用紙が印字位置に向かって搬送される状態を示す図。
【符号の説明】
【００４９】
Ｔ…通帳（印字媒体）、Ｓｂ…ステイトメント用紙（印字媒体）、２…フェイシア部（挿入口）、６ｂ…搬送路、９ａ…ドットヘッド（印字ヘッド）、１１…搬送ローラ（搬送手段）、３３…整合ローラ、３４…整合板、３７…押下機構（押下手段）、３８…押下ガイド、４２…スプリング（付勢部材）、４３…カム。
【図１】
2010215347.tif 000003
【図２】
2010215347.tif 000004
【図３】
2010215347.tif 000005
【図４】
2010215347.tif 000006
【図５】
2010215347.tif 000007
【図６】
2010215347.tif 000008
【図７】
2010215347.tif 000009
【図８】
2010215347.tif 000010
【図９】
2010215347.tif 000011
【図１０】
2010215347.tif 000012
【図１１】
2010215347.tif 000013
【図１２】
2010215347.tif 000014
【図１３】
2010215347.tif 000015
【図１４】
2010215347.tif 000016